(57)【要約】      （修正有）【課題】安全かつ簡便に雪下ろし作業を行うことを可能とする雪下ろし器具を提供する。【解決手段】雪下ろし器具１０は、雪下ろし作業が必要な家屋の屋根の棟部から各軒部までの一対の平部を覆うように載置可能である一対の網部１２ａ、１２ｂと、一対の網部の一方側端部同士を着脱可能に連結し、棟部に載置可能な一対の連結部１４ａ、１４ｂと、一対の網部の各他方側端部に連結され、家屋が立つ地面まで垂れ下げ可能な長さを有する一対の綱部１６ａ、１６ｂと、を備えることを特徴とする。【選択図】図１
0003233941.tif 000002
【実用新案登録請求の範囲】
【請求項１】
雪下ろし作業が必要な家屋の屋根の棟部から各軒部までの一対の平部を覆うように載置可能である一対の網部と、
前記一対の網部の一方側端部同士を着脱可能に連結し、前記棟部に載置可能な一対の連結部と、
前記一対の網部の各他方側端部に連結され、前記家屋が立つ地面まで垂れ下げ可能な長さを有する一対の綱部と、
を備えることを特徴とする雪下ろし器具。
【請求項２】
請求項１に記載の雪下ろし器具において、
前記一対の綱部の少なくとも１つの綱部の前記他方側端部に連結され、所定の長さを有し、前記他方側端部と反対側の端部に錘が設けられた紐部を備えることを特徴とする雪下ろし器具。
【考案の詳細な説明】
【技術分野】
【０００１】
本考案は、雪下ろし器具に関する。
【背景技術】
【０００２】
従来、豪雪地帯では、冬場の雪下ろし作業が大きな課題となっている。本考案に関連する技術として、例えば、長方形網の網目の適宜結び目に突状或いは角部を有する掻き具を結びつけ、該長方形網の対角線方向の対偶する二つの隅部を、それぞれを対向方向に引き延ばして長尺の帯状体となし、帯状体をビニールハウスの上から両側壁側に振り分けて掛け垂らし、帯状体の一方の端を引っ張って帯状体をビニールハウス上で一側壁側に移動させてハウス上の手前側勾配上の積雪を帯状体と突状或いは角部を有する掻き具の移動により掻き落し、次いで帯状体の他方の端を引っ張って帯状体をビニールハウス上で上記と反対の他側壁側に移動させてハウス上の奥側勾配上の積雪を帯状体と突状或いは角部を有する掻き具の移動により掻き落し、順次この動作を繰り返しながらハウスの棟の一端から他端へ移動してハウス上の全ての積雪を落下させることを特徴とする雪下ろし方法が開示されている。
【先行技術文献】
【特許文献】
【０００３】
【特許文献１】特開平１０−２９２６７２号公報
【考案の概要】
【考案が解決しようとする課題】
【０００４】
雪下ろしをするためには、屋根に上ってスコップなどの道具を用いて除雪作業を行う必要がある。この作業は、重労働で、時には危険を伴うことがある。
【０００５】
本考案の目的は、安全かつ簡便に雪下ろし作業を行うことを可能とする雪下ろし器具を提供することである。
【課題を解決するための手段】
【０００６】
本考案に係る雪下ろし器具は、雪下ろし作業が必要な家屋の屋根の棟部から各軒部までの一対の平部を覆うように載置可能である一対の網部と、前記一対の網部の一方側端部同士を着脱可能に連結し、前記棟部に載置可能な一対の連結部と、前記一対の網部の各他方側端部に連結され、前記家屋が立つ地面まで垂れ下げ可能な長さを有する一対の綱部と、を備えることを特徴とする。
【０００７】
また、本考案に係る雪下ろし器具において、前記一対の綱部の少なくとも１つの綱部の前記他方側端部に連結され、所定の長さを有し、前記他方側端部と反対側の端部に錘が設けられた紐部を備えることが好ましい。
【０００８】
本考案に係る雪下ろし方法は、雪下ろし作業が必要な家屋の屋根の棟部から各軒部までの一対の平部を覆うように載置可能である一対の網部と、前記一対の網部の一方側端部同士を着脱可能に連結し、前記棟部に載置可能な一対の連結部と、前記一対の網部の各他方側端部に連結され、前記家屋が立つ地面まで垂れ下げ可能な長さを有する一対の綱部と、を備える雪下ろし器具を用いた雪下ろし方法であって、前記屋根の前記平部の全面を覆うように前記複数の雪下ろし器具を奥行方向に並べて配置する第１の工程と、雪下ろし作業が必要となったときに、各雪下ろし器具の各一対の連結部の連結が外れるように各綱部を引っ張る第２の工程と、を備えることを特徴とする。
【０００９】
また、本考案に係る雪下ろし方法であって、前記雪下ろし器具は、前記一対の綱部の少なくとも１つの綱部の前記他方側端部に連結され、所定の長さを有し、前記他方側端部と反対側の端部に錘が設けられた紐部を備えており、前記第１の工程において、前記錘部が設けられた前記紐部を一方側の前記平部側の地面から前記屋根に向けて投げることにより、他方側の前記平部側の地面に落下させることが好ましい。
【考案の効果】
【００１０】
本考案によれば、安全かつ簡便に雪下ろし作業を行うことが出来る。
【図面の簡単な説明】
【００１１】
【図１】本考案の実施形態に係る雪下ろし装置を示す図である。
【図２】本考案の実施形態に係る雪下ろし装置を家屋にセットしている様子を示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、本考案の実施形態に係る雪下ろし器具１０を示す図である。図２は、本考案の実施形態に係る雪下ろし器具１０を家屋２にセットしている様子を示す図である。
【００１４】
雪下ろし器具１０は、冬場に雪下ろし作業が必要となる雪国の家屋２において、簡便に雪下ろし作業を行うための装置である。
【００１５】
雪下ろし器具１０は、一対の網部１２ａ，１２ｂで構成される網部１２と、一対の連結部１４ａ，１４ｂで構成される連結部１４と、一対の綱部１６ａ，１６ｂで構成される綱部１６と、錘部２０が先端に装着された紐部１８とを備えている。
【００１６】
一対の網部１２ａ，１２ｂは、雪下ろし作業が必要な家屋２の屋根の棟部４から各軒部６までの一対の平部８を覆うように載置可能な網部材（ネット部材）を含んで構成される。
【００１７】
ここでは、家屋２は、屋根が交差する山型の稜線部分である棟部４を天辺とし、所定の角度を有する略ハの字を形成するように設けられて瓦などで構成される一対の平部８が設けられている。そして、一対の平部８の端部である軒部６には、雨どいなどが設けられている。
【００１８】
ここで、各網部１２ａ，１２ｂは、図１に示されるように、略矩形形状を有しており、長手方向の長さは、平部８の傾斜方向の幅とほぼ同じに設定されている。また、短手方向の長さは、平部８の奥行方向の長さの数分の一（例えば、十分の一）に設定されている。
【００１９】
各網部１２ａ、１２ｂの材質は、適度な強度を有する材質で構成されることが好ましく、例えば、合成繊維であるものとして説明するが、天然繊維であってもよい。
【００２０】
一対の連結部１４ａ，１４ｂは、一対の網部１２ａ，１２ｂの一方側端部同士を着脱可能に連結し、棟部４に載置可能な連結部材を含んで構成される。一対の連結部１４ａ，１４ｂは、例えば、面ファスナーを用いて構成するものとすることが出来るが、スナップボタンを用いて形成することも出来る。
【００２１】
一対の綱部１６ａ，１６ｂは、一対の網部１２ａ，１２ｂの各他方側端部に連結され、家屋２が立つ地面まで垂れ下げ可能な長さを有する綱部材（ロープ部材）を含んで構成される。すなわち、図２に示されるように、家屋２の軒部６から地面までの間を延伸するような長さを有している。
【００２２】
各綱部１６ａ，１６ｂは、適度な強度を有する材質で構成されることが好ましく、各網部１２ａ，１２ｂと同様に合成繊維や天然繊維で構成することが出来る。各綱部１６ａ，１６ｂは、断面形状が円形であり、円形の直径は、各網部１２ａ，１２ｂの短手方向の長さの数分の一（例えば、十分の一）に設定される。
【００２３】
紐部１８は、一対の綱部１６ａ，１６ｂの少なくとも１つの綱部（ここでは、綱部１６ｂ）の他方側端部に連結され、所定の長さを有し、他方側端部と反対側の端部に錘部２０が設けられた紐部材である。錘部２０は、適度な重さ、例えば、２００〜３００ｇの重量を有する球体である。
【００２４】
紐部１８は、軽量で強度を有する材質、例えば、釣り糸に使用されるようなナイロン、フロロカーボン、ＰＥで構成することが好ましい。また、凧揚げに使用する凧糸に使用される木綿糸を用いることも出来る。
【００２５】
紐部１８は、錘部２０を一方側の平部８側の地面から屋根に向けて投げることにより、他方側の平部８側の地面に落下させるのに十分な長さを有するため、一対の網部１２ａ，１２ｂと一対の綱部１６ａ，１６ｂの長手方向（延伸方向）の長さの全ての合計値よりも大きな長さに設定される。
【００２６】
続いて、上記構成の雪下ろし器具１０の作用について設定する。従来、豪雪地帯などの所謂雪国では、雪が降る季節になると、定期的に雪下ろし作業を行う必要がある。雪下ろし作業には、屋根の上に登って雪を下すなどの作業が必要であるため、重労働であり、また、屋根から落下してしまうなどの危険がある。このような課題に対し、本考案の実施形態に係る雪下ろし器具１０は顕著な効果を発揮する。
【００２７】
最初に、複数の雪下ろし器具１０を準備する。ここでは、１０個の雪下ろし器具１０を準備する者として説明するが、平部８の全面をカバーできる程度の量の雪下ろし装置１０があればよいため、１０個に限定されない。
【００２８】
次に、図２に示されるように、錘部２０を一方側の平部８側の地面から屋根に向けて投げることにより、他方側の平部８側の地面に落下させる。ここで、紐部１８は、釣り糸や凧糸のように軽量であり、錘部２０の重さで反対側に投げることができる。ここで、錘部２０が棟部４を超えることが出れば、反対側の平部８に着地した場合であっても錘部２０が転がって地面に落ちる。
【００２９】
反対側の地面に着地した後は、紐部１８を引くと、これに繋がる綱部１６ｂ及び網部１２ｂが引っ張られて、一方側の平部８から他方側の平部８に移動する。これにより、図２に示されるように、連結部１４を棟部４に位置させ、一対の平部８を一対の網部１２ａ，１２ｂで覆うことができる。
【００３０】
この後、図２に示されるように、各綱部１６ａ，１６ｂの端部に重石２２を載せて、雪下ろし器具１０が風で飛ばされないようにする。１つの雪下ろし器具１０を設置した後、残り９つの雪下ろし器具１０を奥行方向に並ぶように設置する。これにより、全面の平部８をカバーすることができる。このような作業を雪が降る前に実施しておく。
【００３１】
その後、雪が降って家屋２に積もった後、雪下ろしを行う際に、重石２２を取り外して各綱部１６ａ，１６ｂを夫々離間させるように下の方向に引っ張る。そうすると、一対の連結部１４ａ，１４ｂが取り外されて、各網部１２ａ，１２ｂが夫々地面に滑り落ちることができる状態となる。これにより、網部１２ａ，１２ｂ上に積もった雪を落とすことが出来る。
【００３２】
このような雪下ろしを行うための行為を繰り返す。ここでは、１０個の雪下ろし器具１０により、屋根の全面をカバーしているため、全ての雪下ろし器具１０の連結部１４ａ，１４ｂを取り外して、各網部１２ａ，１２ｂを地面に落とすことで、各網部１２ａ，１２ｂの上に積もった雪が滑り落ちる。これにより、家屋２に積もった雪を下すことが出来る。
【００３３】
上記のように、雪下ろし器具１０によれば、錘部２０を屋根に向かって投げて設置することができるため、屋根に上らなくても装着することが出来る。これにより、安全でかつ簡単に設置することが出来る。また、このように簡単に設置できるため、数分間で装着することができるという利点がある。
【００３４】
また、雪下ろし器具１０を設置した後、雪が積もって雪下ろしが必要なときに、重石２２を取り除き、夫々綱部１６ａ，１６ｂを引っ張るだけで、連結部１４ａ，１４ｂが外れるため、簡便に雪下ろし作業を行うことができるというメリットがある。
【００３５】
なお、ここでは、雪下ろし器具１０の設置個所は、一般的な住宅である家屋２であるものとして説明したが、もちろん、その他の場所であってもよく、例えば、ビニールハウスに設置してもよい。
【００３６】
雪下ろし器具１０は、網部１２で構成されているため、光を通すことができ、ビニールハウスの機能を担保しつつ、雪下ろしの準備をすることが出来るという利点がある。また、雪下ろし器具１０は、連結部１４ａ，１４ｂを連結させることで再利用可能であるため、ローコストである。
【符号の説明】
【００３７】
２  家屋、４  棟部、６  軒部、８  平部、１０  雪下ろし器具、１２  網部、１２ａ、１２ｂ  網部、１４  連結部。１４ａ，１４ｂ  連結部、１６  綱部、１６ａ，１６ｂ  綱部、１８  紐部、２０  錘部、２２  重石。
【図１】
0003233941.tif 000003
【図２】
0003233941.tif 000004